(57)【要約】      （修正有）【課題】漏れインダクタンスを更に多量に発することができる高漏れインダクタンス変圧器を提供する。【解決手段】少なくとも一つの一次コイル部１１と、少なくとも一つの二次コイル部１２と、が設けられており、これらのコイル部のうちの一つには、インダクタンス増加用コイル部１３が設けられているコイル部ユニット１０と、前記一次コイル部１１及び二次コイル部１２に貫通された内部コア２１と、前記インダクタンス増加用コイル部１３に貫通され前記内部コア２１と連接することにより磁気案内回路が形成される外部コア２２と、を有するコアユニット２０と、を含む。【選択図】図１
0003147421.tif 000002
【実用新案登録請求の範囲】
【請求項１】
少なくとも一つの一次コイル部１１と、少なくとも一つの二次コイル部１２と、が設けられており、これらのコイル部のうちの一つには、インダクタンス増加用コイル部１３、１３ａが設けられているコイル部ユニット１０、１０ａ、１０ｂ、１０ｃと、
前記一次コイル部１１及び前記二次コイル部１２に貫通された内部コア２１と、前記インダクタンス増加用コイル部１３、１３ａに貫通され前記内部コア２１と連接することにより磁気案内回路が形成される外部コア２２と、を有するコアユニット２０と、を含むこと
を特徴とする高漏れインダクタンス変圧器。
【請求項２】
前記インダクタンス増加用コイル部１３は、前記一次コイル部１１の一側と連接しており、前記インダクタンス増加用コイル部１３及び前記一次コイル部１１には一次コイルが巻き付けられていることを特徴とする、請求項１に記載の高漏れインダクタンス変圧器。
【請求項３】
前記二次コイル部１２は、前記一次コイル部１１の一端に設けられていることを特徴とする、請求項２に記載の高漏れインダクタンス変圧器。
【請求項４】
前記一次コイル部１１の両端に、それぞれ前記二次コイル部１２が設けられていることを特徴とする、請求項２に記載の高漏れインダクタンス変圧器。
【請求項５】
前記コイル部ユニット１０、１０ａ、１０ｂを覆っているケース３０、３０ｃを含むことを特徴とする、請求項３又は請求項４に記載の高漏れインダクタンス変圧器。
【請求項６】
ケース３０ａ、３０ｂを含み、前記ケース３０ａ、３０ｂには前記一次コイル部１１が一体に設けられており、前記ケース３０ａ、３０ｂにおいて、前記一次コイル部１１の両側には前記二次コイル部１２を収容する収容部３２がそれぞれ設けられていることを特徴とする、請求項４に記載の高漏れインダクタンス変圧器。
【請求項７】
前記インダクタンス増加用コイル部１３ａは前記二次コイル部１２の一側と連接しており、前記インダクタンス増加用コイル部１３ａ及び前記二次コイル部１２には二次コイルが巻き付けられていることを特徴とする、請求項１に記載の高漏れインダクタンス変圧器。
【請求項８】
前記二次コイル部１２は前記一次コイル部１１の一端に設けられていることを特徴とする、請求項７に記載の高漏れインダクタンス変圧器。
【請求項９】
前記一次コイル部１１の両端に、それぞれ前記二次コイル部１２が設けられていることを特徴とする、請求項７に記載の高漏れインダクタンス変圧器。
【請求項１０】
前記コイル部ユニット１０、１０ａ、１０ｂを覆っているケース３０、３０ｃを含むことを特徴とする、請求項８又は請求項９に記載の高漏れインダクタンス変圧器。
【請求項１１】
ケース３０ａ、３０ｂを含み、前記ケース３０ａ、３０ｂには前記一次コイル部１１が一体に設けられており、前記ケース３０ａ、３０ｂにおいて、前記一次コイル部１１の両側には前記二次コイル部１２を収容する収容部３２がそれぞれ設けられていることを特徴とする、請求項９に記載の高漏れインダクタンス変圧器。
【考案の詳細な説明】
【技術分野】
【０００１】
本考案は、変圧器に関し、特に、漏れインダクタンスを更に多量に発することができる高漏れインダクタンス変圧器に関するものである。
【背景技術】
【０００２】
液晶ディスプレイの大型化に伴って、光度を増加するために、液晶ディスプレイの内部に設けられるバックライトモジュールに使用する冷陰極管（Ｃｏｌｄ  Ｃａｔｈｏｄｅ  Ｆｌｕｏｒｅｓｃｅｎｔ  Ｌａｍｐ−ＣＣＦＬ）の数量を増加することが必要になっている。また、これらの冷陰極管を駆動するための高電圧変圧器の数量を増加することも必要になっている。これにより、高電圧変圧器の出力及び付加機能の良好性は冷陰極管の光度に影響する。すなわち、現在の液晶ディスプレイは、大画面で薄型のものが主流であるので、大画面で薄型にするために、高電圧変圧器のコアを小さくにすることが必要であり、そして、高電圧変圧器のコアの数量を少なくすることも必要である。しかし、冷陰極管の光度の低下を防ぐために、高電圧変圧器の出力及び付加機能の良好性を落とすことはできない。上記の説明から明らかなように、高電圧を使用する冷陰極管に所定の電圧を供給すること、変圧器のコアの体積を減らした状態で一つの入力端と複数の出力端とを有すること、また、変圧器のコアの数量を減らした状態で複数の変圧器が同じコアを使用すること、また、高電圧変圧器の出力及び付加機能の良好性を低下させない状態で変圧器のコアの形状を出来る限り薄くすること、などが強く要請されている。
【０００３】
従来の変圧器は、出願人が提案した、特許文献１乃至特許文献５に記載のように、ワイヤリングフレームを有し、ワイヤリングフレームには、一次コイルを巻付けるための一次コイル部と、二次コイルを巻付けるための二次コイル部と、が設けられており、一次コイル部と二次コイル部とに挿通しているコアが設けられており、これにより、一次コイルに電流を流すと、二次コイルに電流が発生する。しかし、これらの変圧器では漏れインダクタンスが不足であり、特許文献３を例にして説明すれば、テスト周波数が５０ＫＨｚ／Ｖ、コア隙間が０．１５ｍｍ、一次コイルと二次コイルとの巻付比が１：１０という条件で、発生する漏れインダクタンスが約１３１ｍＨであるので、より高い漏れインダクタンスによって変圧器の周りにある電子部品を駆動することが必要な場合には、特許文献３に提案した変圧器では、これらの電子部品を有効に駆動することができない。
【０００４】
【特許文献１】台湾特許第Ｍ３１５３９６号
【特許文献２】台湾特許第Ｍ３１４４０７号
【特許文献３】台湾特許第Ｍ３０４１０６号
【特許文献４】台湾特許第Ｍ５９２３７９号
【特許文献５】台湾特許第Ｍ５６０６８３号
【考案の開示】
【考案が解決しようとする課題】
【０００５】
本考案の主な目的は、漏れインダクタンスを更に多量に発することができる高漏れインダクタンス変圧器を提供することにある。
【課題を解決するための手段】
【０００６】
本考案の請求項１に記載の高漏れインダクタンス変圧器によると、少なくとも一つの一次コイル部１１と、少なくとも一つの二次コイル部１２と、が設けられており、これらのコイル部のうちの一つには、インダクタンス増加用コイル部１３、１３ａが設けられているコイル部ユニット１０、１０ａ、１０ｂ、１０ｃと、前記一次コイル部１１及び前記二次コイル部１２に貫通された内部コア２１と、前記インダクタンス増加用コイル部１３、１３ａに貫通され前記内部コア２１と連接することにより磁気案内回路が形成される外部コア２２と、を有するコアユニット２０と、を含むことを特徴とする高漏れインダクタンス変圧器である。
【０００７】
本考案の請求項２に記載の高漏れインダクタンス変圧器によると、前記インダクタンス増加用コイル部１３は、前記一次コイル部１１の一側と連接しており、前記インダクタンス増加用コイル部１３及び前記一次コイル部１１には一次コイルが巻き付けられている。
【０００８】
本考案の請求項３に記載の高漏れインダクタンス変圧器によると、前記二次コイル部１２は前記一次コイル部１１の一端に設けられている。
【０００９】
本考案の請求項４に記載の高漏れインダクタンス変圧器によると、前記一次コイル部の両端に、それぞれ前記二次コイル部が設けられている。
【００１０】
本考案の請求項５に記載の高漏れインダクタンス変圧器によると、前記コイル部ユニット１０、１０ａ、１０ｂを覆っているケース３０、３０ｃを含む。
【００１１】
本考案の請求項６に記載の高漏れインダクタンス変圧器によると、ケース３０ａ、３０ｂを含み、前記ケース３０ａ、３０ｂには前記一次コイル部１１が一体に設けられており、前記ケース３０ａ、３０ｂにおいて、前記一次コイル部１１の両側には前記二次コイル部１２を収容する収容部３２がそれぞれ設けられている。
【００１２】
本考案の請求項７に記載の高漏れインダクタンス変圧器によると、前記インダクタンス増加用コイル部１３ａは前記二次コイル部１２の一側と連接しており、前記インダクタンス増加用コイル部１３ａ及び前記二次コイル部１２には二次コイルが巻き付けられている。
【００１３】
本考案の請求項８に記載の高漏れインダクタンス変圧器によると、前記二次コイル部１２は前記一次コイル部１１の一端に設けられている。
【００１４】
本考案の請求項９に記載の高漏れインダクタンス変圧器によると、前記一次コイル部１１の両端に、それぞれ前記二次コイル部１２が設けられている。
【００１５】
本考案の請求項１０に記載の高漏れインダクタンス変圧器によると、前記コイル部ユニット１０、１０ａ、１０ｂを覆っているケース３０、３０ｃを含む。
【００１６】
本考案の請求項１１に記載の高漏れインダクタンス変圧器によると、ケース３０ａ、３０ｂを含み、前記ケース３０ａ、３０ｂには前記一次コイル部１１が一体に設けられており、前記ケース３０ａ、３０ｂにおいて、前記一次コイル部１１の両側には前記二次コイル部１２を収容する収容部３２がそれぞれ設けられている。
【考案の効果】
【００１７】
本考案の高漏れインダクタンス変圧器によれば、漏れインダクタンスを更に多量に発生させることができるという効果を有する。
【考案を実施するための最良の形態】
【００１８】
以下、本考案の実施の形態を図面に基づいて説明する。
【００１９】
まず、図１を参照する。本考案に係る高漏れインダクタンス変圧器は、コイル部ユニット１０と、コアユニット２０と、を含み、前記コイル部ユニット１０には、一次コイル（図示せず）を巻付けるための一次コイル部１１と、二次コイル（図示せず）を巻付けるための二次コイル部１２と、が設けられている。前記コアユニット２０は、一次コイル部１１と二次コイル部１２とに貫通される内部コア２１と、一次コイル部１１と二次コイル部１２との外側に露出し前記内部コア２１と連接することにより磁気案内回路が形成される外部コア２２と、を有する。特に、一次コイル部１１と二次コイル部１２とのうちの一つには、インダクタンス増加用コイル部１３が設けられており、前記コアユニット２０の外部コア２２が前記インダクタンス増加用コイル部１３に貫通される。これにより、漏れインダクタンス量が増加する。本考案の実施例１に係る高漏れインダクタンス変圧器は、図１に示すように、一体成形された、一次コイル部１１と二次コイル部１２とによりコイル部ユニット１０が構成され、前記コイル部ユニット１０を覆うためのケース３０を含み、前記ケース３０の両側には、前記内部コア２１と前記外部コア２２とを貫通させるための貫通孔３１がそれぞれ開設されている。一次コイル部１１と二次コイル部１２とは前記内部コア２１を挿通するための内部コア通路１４を有する。なお、前記インダクタンス増加用コイル部１３は前記一次コイル部１１の一側と連接しており、前記インダクタンス増加用コイル部１３と前記一次コイル部１１には、一次コイルが巻き付けられている。且つ、前記インダクタンス増加用コイル部１３は前記外部コア２２を挿通するための外部コア通路１５を有する。図２に示すように、前記一次コイル部１１の一次コイル（図示せず）に電流を流して磁界が発して、二次コイル部１２の二次コイル（図示せず）に誘導電流が発生する場合には、前記インダクタンス増加用コイル部１３において、自己誘導及び漏れインダクタンスが発生する。これにより、変圧器の漏れインダクタンス量が大幅に増加するようになり、前記変圧器の周りにある高いインダクタンスでしか駆動できない電子部品を駆動させることができる。
【００２０】
上記の実施例では、コイル部ユニット１０、１０ａ（図３参照）は、一次コイル部１１と二次コイル部１２とが一対一の関係で構成されるが、コイル部ユニット１０、１０ａが一つの一次コイル部１１と複数の二次コイル部１２とから構成されてもよい。図５に示すように、当該高漏れインダクタンス変圧器は二次コイル部１２を含み、且つ前記一次コイル部１１の両端には前記二次コイル部１２が脱着可能に設けられており、これにより、一次コイル部１１と二次コイル部１２とが一対二の態様になる。本実施例では、インダクタンス増加用コイル部１３は一次コイル部１１に設けられており、前記インダクタンス増加用コイル部１３と前記一次コイル部１１とには一次コイルが巻き付けられる。また、本実施例に係る高漏れインダクタンス変圧器は、ケース３０ａを含み、一次コイル部１１がケース３０ａと一体成形されており、前記ケース３０ａにおいて、前記一次コイル部１１の両側には前記二次コイル部１２を収容する収容部３２がそれぞれ設けられており、前記二つの収容部３２の両側には、前記内部コア２１と前記外部コア２２とを貫通させるための貫通孔３１がそれぞれ開設されており、二次コイル部１２のインダクタンス増加用コイル部１３に前記コアユニット２０の外部コア２２を挿通させる。これらにより、図６に示すように、前記一次コイル部１１の一次コイル（図示せず）に電流を流して磁界が発生し、二次コイル部１２の二次コイル（図示せず）に誘導電流が発生する場合は、前記インダクタンス増加用コイル部１３において、自己誘導及び漏れインダクタンスが発生する。これにより、変圧器の漏れインダクタンス量が大幅に増加するようになる。
【００２１】
また、図７に示すように、ケース３０ｂに一次コイル部１１を設け、ケース３０ｂにおいて、一次コイル部１１の両側にある収容部３２に二次コイル部１２をそれぞれ収容し、且つ両側にある二次コイル部１２にインダクタンス増加用コイル部１３ａをそれぞれ連接し、二次コイル部１２とインダクタンス増加用コイル部１３ａとに二次コイルを巻付けてもよい。又は、図８に示すように、そのうちの一つの二次コイル部１２にインダクタンス増加用コイル部１３ａを設けてもよい。いずれも、高漏れインダクタンス変圧器の漏れインダクタンス量を増加することができる。
【００２２】
一次コイル部１１とその両端にある二次コイル部１２とは、別体で構成する他に、図９に示すように、一体成形技術によって一対二の関係になるコイル部ユニット１０ｂとして形成してもよい。また、一次コイル部１１と二次コイル部１２とは内部コア２１を挿通するための内部コア通路１４を有し、インダクタンス増加用コイル部１３ａは外部コア２２を挿通するための外部コア通路１５を有し、前記外部コア通路１５が前記内部コア通路１４と連通しており、また、当該変圧器を覆うケース３０ｃには、内部コア２１と外部コア２２とを貫通させるための貫通孔３１が開設されており、この変圧器のワイヤリングフレームも前記外部コア２２を前記インダクタンス増加用コイル部１３ａに貫通させることにより、漏れインダクタンス量を増加させることができる。また、図１０に示すようなコイル部ユニット１０ｃは、一体成形されたものであり、上記の実施例と相違する点として、一次コイル部１１にはインダクタンス増加用コイル部１３が設けられているので、漏れインダクタンス量を増加させることができる。
【００２３】
すなわち、一次コイル部１１の一側に、又は、二次コイル部１２の一側にインダクタンス増加用コイル部１３、１３ａを設けて、前記インダクタンス増加用コイル部１３、１３ａにコアユニット２０の外部コア２２を貫通させると、変圧器の漏れインダクタンス量が大幅に増加するようになり、変圧器の周りにある高いインダクタンスでしか駆動できない電子部品を駆動させることができる。
【００２４】
このように、本考案の実施例を説明したが、これらの例は、本考案を限定するものではなく、この分野に通常の知識を有する者は、本考案の趣旨および範囲を逸脱することなく、ここで開示された実施例に変更、追加、または、削除を施してもよい。
【図面の簡単な説明】
【００２５】
【図１】本考案の実施例１に係る高漏れインダクタンス変圧器の構造を示す分解斜視図である。
【図２】本考案の実施例１に係る高漏れインダクタンス変圧器の漏れインダクタンスを示す模式図である。
【図３】本考案の実施例２に係る高漏れインダクタンス変圧器の構造を示す分解斜視図である。
【図４】本考案の実施例２に係る高漏れインダクタンス変圧器の漏れインダクタンスを示す模式図である。
【図５】本考案の実施例３に係る高漏れインダクタンス変圧器の構造を示す分解斜視図である。
【図６】本考案の実施例３に係る高漏れインダクタンス変圧器の漏れインダクタンスを示す模式図である。
【図７】本考案の実施例４に係る高漏れインダクタンス変圧器の構造を示す分解斜視図である。
【図８】本考案の実施例４に係る高漏れインダクタンス変圧器の漏れインダクタンスを示す模式図である。
【図９】本考案の実施例５に係る高漏れインダクタンス変圧器の構造を示す分解斜視図である。
【図１０】本考案の実施例６に係る高漏れインダクタンス変圧器の構造を示す分解斜視図である。
【符号の説明】
【００２６】
１０    コイル部ユニット
１１    一次コイル部
１２    二次コイル部
１３    インダクタンス増加用コイル部
１４    内部コア通路
１５    外部コア通路
２０    コアユニット
２１    内部コア
２２    外部コア
３０    ケース
３１    貫通孔
３２    収容部
１０ａ  コイル部ユニット
１０ｂ  コイル部ユニット
１０ｃ  コイル部ユニット
１３ａ  インダクタンス増加用コイル部
３０ａ  ケース
３０ｂ  ケース
３０ｃ  ケース
【図１】
0003147421.tif 000003
【図２】
0003147421.tif 000004
【図３】
0003147421.tif 000005
【図４】
0003147421.tif 000006
【図５】
0003147421.tif 000007
【図６】
0003147421.tif 000008
【図７】
0003147421.tif 000009
【図８】
0003147421.tif 000010
【図９】
0003147421.tif 000011
【図１０】
0003147421.tif 000012